(57)【要約】【課題】データテープおよび／またはデータヘッドトランスデューサをクリーニングするための一体型クリーニング装置と、このようなクリーニング装置を含むテープドライブと、これらのクリーニング装置、およびこれらのクリーニング装置を含むテープドライブを使用する方法とを提供する。【解決手段】データテープおよび／またはデータヘッドトランスデューサをクリーニングするためのクリーニング装置は、データテープ用の通路を有する基部と、通路内に取付けられたデータテープクリーナと、通路内に取付けられたトランスデューサヘッドクリーナとを含み得る。【選択図】図３
2006294230.tif 000002
【特許請求の範囲】
【請求項１】
データテープおよびデータトランスデューサヘッドをクリーニングするためのクリーニング装置であって、
データテープが追従するためのデータテープ通路を有する基部と、
前記データテープ通路内にデータトランスデューサヘッドクリーナと、
前記データテープ通路内にデータテープクリーナとを備える、クリーニング装置。
【請求項２】
データトランスデューサヘッドと前記データトランスデューサヘッドクリーナとの接触を可能にする開口部を前記データテープ通路内にさらに備える、請求項１に記載のクリーニング装置。
【請求項３】
前記データテープ通路内に第２のデータテープクリーナをさらに備える、請求項１に記載のクリーニング装置。
【請求項４】
前記データトランスデューサヘッドクリーナは研磨面を含む、請求項１に記載のクリーニング装置。
【請求項５】
前記データトランスデューサヘッドクリーナはブラシを含む、請求項１に記載のクリーニング装置。
【請求項６】
前記クリーニング装置の移動を案内するための移動ガイドをさらに備える、請求項１に記載のクリーニング装置。
【請求項７】
前記移動ガイドは旋回軸である、請求項６に記載のクリーニング装置。
【請求項８】
前記旋回軸は、前記クリーニング装置の移動を開始するためのレシーバカム機構に接続される、請求項７に記載のクリーニング装置。
【請求項９】
前記基部は、前記データテープ通路を形成する複数の壁部を含む、請求項１に記載のクリーニング装置。
【請求項１０】
前記クリーニング装置の位置を制御するためのコントローラをさらに備える、請求項１に記載のクリーニング装置。
【請求項１１】
データテープおよびデータトランスデューサヘッドをクリーニングするためのクリーニング装置であって、
通路を形成する壁を有する基部を備え、前記通路は、データテープを通過させるように構成され、前記クリーニング装置はさらに、
前記壁のうちの１つの壁上に設けられたデータテープクリーナと、
前記壁のうちの１つの壁上に設けられたデータトランスデューサヘッドクリーナと、
前記クリーニング装置がその周囲で動き得る旋回軸とを備える、クリーニング装置。
【請求項１２】
テープドライブであって、
データテープ上でデータの読出および書込を行なうためのデータトランスデューサヘッドと、
クリーニング装置とを備え、前記クリーニング装置は、
データテープを通過させるための通路を有する基部と、
前記通路内にデータトランスデューサヘッドクリーナと、
前記通路内にデータテープクリーナとを含み、前記テープドライブはさらに、
前記クリーニング装置がその周囲で動き得る移動ガイドを備える、テープドライブ。
【請求項１３】
前記クリーニング装置は、前記クリーニング装置の前記通路内で前記データトランスデューサヘッドと前記データトランスデューサヘッドクリーナとが互いに接触するヘッドクリーニング位置を含む、請求項１２に記載のテープドライブ。
【請求項１４】
巻取リーダをさらに備え、前記巻取リーダは、前記巻取リーダが行路内に存在しているとき、前記データトランスデューサヘッドクリーナが前記データトランスデューサヘッドに接近できるようにするための、前記巻取リーダを貫通する開口部を有する、請求項１２に記載のテープドライブ。
【請求項１５】
前記クリーニング装置は、前記データテープクリーナが前記通路内のデータテープに接触するテープクリーニング位置を含む、請求項１２に記載のテープドライブ。
【請求項１６】
前記クリーニング装置は、前記通路内のデータテープが前記データテープクリーナに接触せず、かつ、前記データトランスデューサヘッドクリーナが前記データトランスデューサヘッドに接触しない走行位置を含む、請求項１２に記載のテープドライブ。
【請求項１７】
前記クリーニング装置は、前記データトランスデューサヘッドが前記通路内に存在しない装着位置を含む、請求項１２に記載のテープドライブ。
【請求項１８】
前記クリーニング装置の位置を制御するためのコントローラをさらに備える、請求項１２に記載のテープドライブ。
【請求項１９】
テープドライブのデータトランスデューサヘッドをクリーニングする方法であって、前記テープドライブは、開口部を有する巻取リーダ、およびクリーニング装置を含み、前記クリーニング装置は、
データテープが通過するための通路と、
前記通路内にデータトランスデューサヘッドクリーナと、
前記通路内にデータテープクリーナとを含み、前記方法は、
前記巻取リーダを貫通する前記開口部に前記データトランスデューサヘッドをアライメントするステップと、
前記データトランスデューサヘッドクリーナに前記データトランスデューサヘッドを接触させるステップとを含む、方法。
【請求項２０】
前記データトランスデューサヘッドを動かすステップをさらに含む、請求項１９に記載の方法。
【請求項２１】
テープドライブ内のデータテープをクリーニングする方法であって、前記テープドライブは、クリーニング装置を含み、前記クリーニング装置は、
データテープが通過するための通路と、
前記通路内にデータトランスデューサヘッドクリーナと、
前記通路内にデータテープクリーナとを含み、前記方法は、
前記クリーニング装置の前記通路内にデータテープを位置付けるステップと、
前記データテープクリーナに前記データテープを接触させるステップとを含む、方法。
【請求項２２】
前記通路内で前記データテープを動かすステップをさらに含む、請求項２１に記載の方法。
【発明の詳細な説明】
【技術分野】
【０００１】
発明の背景
発明の分野
この発明は一般に、データテープ媒体およびデータトランスデューサヘッドをクリーニングするための装置と、データテープ媒体およびデータトランスデューサヘッドをクリーニングするための、関連する方法およびシステムとに関する。
【背景技術】
【０００２】
関連技術の説明
テープ媒体カートリッジは、コンピュータシステムにデータを記憶するのに効率的かつ効果的な媒体であることが分かっている。たとえば、磁気テープカートリッジは一般に、大量のデータを記録するために使用され得る磁気コーティングでコーティングされたテープを収容する筐体を含む。このテープは、一般にリールに巻回され、カートリッジの表面の開き扉を介して、カートリッジからデータ読出装置またはデータ書込装置に供給され得る。これらのカートリッジに記憶されたデータは、テープドライブの一部としてのデータトランスデューサヘッド（読出ヘッドおよび／または書込ヘッド等）により読出され得、および／または書込まれ得る。
【０００３】
データ転送の精度は、テープ上またはデータトランスデューサヘッド上にあるゴミまたは異物により悪影響を受ける恐れがある。ゴミが堆積することにより、テープ、テープカートリッジ、および／またはテープドライブに損傷を与える恐れがあるか、または、テープの性能を下げる恐れがある。トランスデューサヘッドおよび磁気テープをクリーニングするためのさまざまな装置および方法が、これまでに説明されてきた。たとえば、専用のクリーニングテープを収容し、一般に「クリーニングカートリッジ」と呼ばれるカートリッジを用いて、テープトランスデューサヘッドをクリーニングすることができる。クリーニングカートリッジは、ドライブのトランスデューサヘッドからゴミを除去するための高い研磨性を提供する特定の機械的および／または化学的特性を有して製造されたテープを含み得る。しかしながら、この方法には限りがある。なぜなら、この方法がトランスデューサヘッドのみをクリーニングし、データテープからゴミを除去しないためである。
【０００４】
データ記憶容量の増大および検索性能の向上が、商業的に採算の取れるほぼすべてのデータ記憶装置および媒体の目標である。テープ媒体の場合、これにより、より小さなトラック幅、および、トランスデューサヘッドとデータテープとの間の物理的な離隔距離の短縮を一層生じるようになり、このことが、データテープに対するゴミおよび異物の影響を大きくする。さらに、未使用のデータテープでさえも、さまざまな量のゴミおよび異物、たとえば、塵、またはテープ媒体の製造時に使用された物質の粒子（磁気コーティングの材料等）を含む傾向がある。
【０００５】
一般的なクリーニング装置は、テープドライブに取付けられたクリーニングテープまたはブラシを用いて、テープドライブのトランスデューサヘッドのみをクリーニングする。しかしながら、これらのクリーニング装置（クリーニングテープおよびブラシ等）は、カートリッジ内のデータテープ上のゴミを除去しない。さらに、この態様でのトランスデューサヘッドからのゴミの除去は、一時的な解決策にしかなり得ない。なぜなら、ゴミが、トランスデューサヘッドからテープドライブの他の部分に移動され得、そこでゴミが、データテープおよび／またはトランスデューサヘッドを後に汚染し得るためである。ゴミは
また、データテープリーダ上の検知孔を塞ぐ恐れもあり、それによってデータカートリッジの性能を下げる。浮遊するゴミは、これらの孔内に堆積し得るか、または、カートリッジもしくはデータテープの他の領域上に堆積し得る。したがって、データテープがテープドライブのテープ経路構成要素、たとえばトランスデューサヘッドと接触する前に、データカートリッジの内部およびデータテープからゴミを除去することが望ましいと考えられる。
【特許文献１】米国特許第４，８０９，１１０号
【特許文献２】米国特許第５，０５５，９５９号
【特許文献３】米国特許第５，１０５，３２２号
【特許文献４】米国特許第５，２１４，５５３号
【特許文献５】米国特許第５，３０７，２１７号
【発明の開示】
【課題を解決するための手段】
【０００６】
概要
データテープおよび／またはデータヘッドトランスデューサをクリーニングするための一体型クリーニング装置と、データテープおよび／またはデータヘッドトランスデューサをクリーニングするためのクリーニング装置を含むテープドライブと、データテープおよび／またはデータヘッドトランスデューサをクリーニングするためのクリーニング装置を使用する方法とを、ここに記載する。
【０００７】
データテープおよびデータトランスデューサヘッドをクリーニングするためのクリーニング装置は、データテープが追従するためのデータテープ経路を有する基部と、データテープ通路の第１の側面上にデータトランスデューサヘッドクリーナと、データテープ通路の第２の側面上にデータテープクリーナとを含む。クリーニング装置はまた、データトランスデューサヘッドとデータトランスデューサヘッドクリーナとの接触を可能にする開口部をデータテープ通路内に含み得る。
【０００８】
変更例によっては、クリーニング装置は、データテープ通路の別の側面上に第２のデータテープクリーナも含む。データトランスデューサヘッドクリーナは、研磨面またはブラシを含み得る。クリーニング装置は、クリーニング装置の移動を案内するための移動ガイドも含み得る。移動ガイドは、ヒンジ、摺動子、カム、または旋回軸であり得る。移動装置はアクチュエータに接続され得る。たとえば、クリーニング装置は、クリーニング装置の移動を開始するためのレシーバカム機構に接続された旋回軸を含み得る。
【０００９】
クリーニング装置の基部は、データテープ通路を形成する複数の壁部を含み得る。さらに、クリーニング装置は、クリーニング装置の位置を制御するためのコントローラを含み得る。
【００１０】
データテープおよびデータトランスデューサヘッドをクリーニングするためのクリーニング装置もまた、ここに記載する。このクリーニング装置は、通路を形成する壁を有する基部と、壁のうちの１つの壁上に設けられたデータテープクリーナと、壁のうちの１つの壁上に設けられたデータトランスデューサヘッドクリーナと、クリーニング装置がその周囲で動き得る旋回軸とを含む。通路は、データテープを通過させるように構成される。
【００１１】
データテープ上で読出および書込を行なうためのデータトランスデューサヘッドおよびクリーニング装置を含むテープドライブもまた、ここに記載する。クリーニング装置は、データテープを通過させるための通路を有する基部と、通路の第１の側面上にデータトランスデューサヘッドクリーナと、通路の第２の側面上にデータテープクリーナと、クリーニング装置がその周囲で動き得る移動ガイドとを含み得る。
【００１２】
テープドライブは、巻取リーダも含み得、この巻取リーダは、当該巻取リーダが行路内に存在しているとき、データトランスデューサヘッドクリーナがデータトランスデューサヘッドに接近できるようにするための、当該巻取リーダを貫通した開口部を有する。
【００１３】
テープドライブのクリーニング装置は、動作位置を有し得る。たとえば、クリーニング装置は、クリーニング装置の通路内でデータトランスデューサヘッドとデータトランスデューサヘッドクリーナとが互いに接触するヘッドクリーニング位置を含み得る。クリーニング装置は、データテープクリーナが通路内のデータテープに接触するテープクリーニング位置を有し得る。クリーニング装置は、通路内のデータテープがデータテープクリーナに接触せず、かつ、データトランスデューサヘッドクリーナがデータトランスデューサヘッドに接触しない走行位置を有し得る。クリーニング装置はまた、データトランスデューサヘッドが通路内に存在しない装着位置も有し得る。変更例によっては、テープドライブは、クリーニング装置の位置を制御するためのコントローラを含む。
【００１４】
テープドライブのデータトランスデューサヘッドをクリーニングする方法もまた、ここに記載する。ここで、テープドライブは、開口部を有する巻取リーダ、およびクリーニング装置を含み、このクリーニング装置は、データテープが通過するための通路と、通路の第１の側面上にデータトランスデューサヘッドクリーナと、通路の第２の側面上にデータテープクリーナとを含む。データトランスデューサをクリーニングする方法は、巻取リーダを貫通する開口部にデータトランスデューサヘッドをアライメントするステップと、データトランスデューサヘッドクリーナにデータトランスデューサヘッドを接触させるステップとを含み得る。この方法は、データトランスデューサヘッドを動かすステップも含み得る。
【００１５】
テープドライブ内のデータテープをクリーニングする方法もまた、ここに記載する。この方法は、クリーニング装置の通路内にデータテープを位置付けるステップと、データテープクリーナにデータテープを接触させるステップとを含み得る。この方法は、通路内でデータテープを動かすステップも含み得る。
【００１６】
この発明は、添付の図面および請求項とともに以下の詳細な説明を考慮することにより、より良く理解される。
【発明を実施するための最良の形態】
【００１７】
詳細な説明
データテープおよびデータトランスデューサヘッドをクリーニングするためのクリーニング装置をここに記載する。以下の説明は、任意の当業者がこの発明を製造および使用し得るように提示されている。特定の材料、技術、および用途の説明は、例示としてのみ行なわれる。ここに記載する例に対するさまざまな変形が、当業者には容易に明らかになるであろうし、ここに規定される一般原理は、この発明の精神および範囲から逸脱することなく他の例および用途に適用され得る。したがって、この発明は、図示および説明された例に限定されることが意図されず、この発明には、前掲の請求項との整合性を有する範囲が与えられ得る。
【００１８】
ここに記載するクリーニング装置は、データテープか、データトランスデューサヘッドか、またはデータテープおよびデータトランスデューサヘッドの両方をクリーニングするために使用され得る。クリーニング装置は、テープドライブに一体化され得る。変更例によっては、クリーニング装置は、異なる位置または構成を有し、ここでクリーニング装置は、作動（たとえば、データテープからの読出および／または書込）中に、または別個のクリーニング周期の一部として、データテープをクリーニングするように位置付けられる
。クリーニング装置は、データテープまたはデータトランスデューサヘッドのクリーニングを制御するためのコントローラを含み得る。
【００１９】
ここに記載するクリーニング装置は、任意の種類のデータテープ（媒体テープとも呼ばれる）をクリーニングし得る。たとえば、データテープは、（たとえばコンピュータデータ、ビデオデータ、アナログ信号か、または、テープ上に記憶され得る他の任意の種類の情報を記憶するための）記録テープであり得る。データテープは、磁気媒体または光学媒体等を含み得る。データテープは、カートリッジまたはカセット等を含む任意の適切な装置内に保持され得る。したがって、ここに記載するテープドライブは、任意の適切なデータテープまたはテープ格納装置との互換性を有し得る。
【００２０】
データトランスデューサヘッドは、データテープ上に記憶されたデータの読出および／または書込を行なうように構成される任意の装置であり得る。データトランスデューサヘッドの例は、その全体が引用により援用される米国特許第４，８０９，１１０号、米国特許第５，０５５，９５９号、米国特許第５，１０５，３２２号、米国特許第５，２１４，５５３号、および米国特許第５，３０７，２１７号に記載されている。図１は、テープドライブ１０の内部の一例を示す。テープドライブ１０において、データトランスデューサヘッド２０は、当該データトランスデューサヘッドを横切る態様でデータトランスデューサテープを案内する２つ以上のテープガイド３０と３０′との間に位置付けられ、それによりデータは、データテープ上において読出され得るか、書込まれ得る。図１に示すテープドライブにおいて、テープ媒体カートリッジ（図示せず）は、テープドライブの開口部１５内に装着され得、データテープは、テープドライブを通過して巻取リール３５上に至り得る。
【００２１】
一般に、ここに記載するクリーニング装置は、基部と、データトランスデューサヘッドクリーナと、データテープクリーナとを含み得る。クリーニング装置は、異なる領域（クリーニング面等）がデータトランスデューサヘッドまたはデータテープに接触するか、または接触しないように選択的に位置付けられ得る。変更例によっては、クリーニング装置は、当該クリーニング装置がその周囲を動いて当該クリーニング装置を位置付け得る旋回軸を含む。変更例によっては、クリーニング装置は、当該クリーニング装置の移動を調整するためのコントローラを含む。
【００２２】
基部
クリーニング装置は、異なるクリーニング面が上に位置付けられる基部を含み得る。この基部は、トランスデューサヘッドクリーナおよびテープクリーナ等のクリーニング面を固定し得る領域を有する任意の適切な構造であり得る。一般に、基部は、当該基部の全体（取付けられた任意のクリーニング面を含む）が共に動き得るように可動であるか、または位置付け可能であり得る。変更例によっては、基部は、データトランスデューサヘッドを基準として動き得る。基部は、（たとえば１つの部品として形成された）１つの一体的な構造であり得、または、基部は、互いに取付けられた領域を含み得る。変更例によっては、基部は、当該基部の他の領域を基準として動き得るか、または位置付けられ得る領域を含む。
【００２３】
基部は、データテープ経路を含む。データテープ経路は、データテープが通過することができ、かつ、データトランスデューサがそれを介してデータテープに接近することのできる通路または行路を含み得る。したがって、通路は、データテープの進入および退出を可能にし、かつ、データトランスデューサヘッドがデータテープ上のデータの読出および／または書込を行なうことを可能にするための開口部を有し得る。通路は、データテープの通過を可能にする任意の適切なサイズおよび形状を有し得る。通路は、完全にまたは部分的に閉鎖され得る。通路は、突起（壁、アーム、パドル等）により形成され得、閉鎖さ
れないことが考えられ、または、或る領域では閉鎖され得、また或る領域では閉鎖されないことが考えられる。
【００２４】
基部を介したデータテープ通路は変化し得る。たとえば、基部を通る通路を追従するデータテープが辿る経路は、基部が動く際に変化し得る。したがって、データテープ通路は、基部が非接触位置にあるときに経路内のデータテープがクリーニング装置に接触しない非接触経路であり得る。しかしながら、或る位置において、データテープは、データテープを案内し得る基部の領域に接触し得る。基部を通るデータテープ通路は、データテープがテープクリーナを通過する際にデータテープを案内し得る。データテープ通路は、基部のテープ経路領域内でデータテープの位置決めを行うか、または、データテープに接触するように構成される１つのテープ載置面または複数のテープ載置面（壁、転がり軸受、空気軸受等）を含み得る。
【００２５】
データテープ通路は、基部から突出する構造（壁等）により形成され得る。データテープ通路は、基部付近に配置された他の構成要素か、またはクリーニング装置に隣接する他の構成要素によっても規定され得る。したがって、クリーニング装置の基部は、通路を形成することを助ける突起を含む突起、たとえば壁、アーム、またはパドルを含み得る。変更例によっては、基部は、当該基部から突出する壁を含む。突起は、データトランスデューサヘッドクリーナおよび／またはデータテープクリーナに接続するための取付部位を含み得る。
【００２６】
基部は、データテープ経路の下に位置するプラットフォーム領域を含み得る。データテープ経路の一部を規定する壁（または壁部）は、基部のプラットフォーム領域から突出し得る。壁は、基部の一部として形成され得（たとえば、基部および壁は１つの型から成形され得）、または、壁は、基部のプラットフォーム領域に取付けられた、基部の別の領域であり得る。壁は、基部のプラットフォーム領域に対して垂直方向に（または或る角度を取って）位置付けられ得る。変更例によっては、壁は、データテープが当該壁に接触し得る領域において滑らかであるか、またはコーティングされ得る。壁はまた、１つ以上のデータテープクリーナまたはデータトランスデューサヘッドクリーナの取付部位としても働き得る。
【００２７】
図２Ａおよび図２Ｂは、プラットフォーム領域２１５を有する基部２１０を有するクリーニング装置２００の一変更例を示す。図２Ａは、図２Ｂにおいて斜視図で示すクリーニング装置の上面図を示す。３つの壁２０５、２０５′、２０５″は、通路２２２を形成し、データテープはこの通路２２２を通過し得る。基部領域の全体は、以下にさらに説明するように、旋回軸２２５の周囲で動き得る。図２Ａはまた、壁の１つ２０５′に取付けられたデータトランスデューサヘッドクリーナ２５０と、他の壁２０５、２０５″に取付けられた２つのデータテープクリーナ２６０、２６０′とを示す。
【００２８】
データトランスデューサヘッドクリーナ
データトランスデューサヘッドクリーナは、基部に接続され得る。一般に、データトランスデューサヘッドクリーナ（または「ヘッドクリーナ」）は、データトランスデューサヘッドをクリーニングするか、または、データトランスデューサヘッドからゴミを除去するための任意の適切な構造または材料を含み得る。たとえば、ヘッドクリーナのクリーニング面は、研磨面を含み得る。ヘッドクリーナは、ブラシ、スクレーパ、ワイパー、またはそれらの何らかの組合せを含み得る。変更例によっては、データトランスデューサヘッドクリーナは、データトランスデューサヘッドをクリーニングするため圧力装置を含み得る。たとえば、データトランスデューサヘッドをクリーニングするために、吸引機または送風機を使用することができる。
【００２９】
変更例によっては、ヘッドクリーナはブラシを含む。任意の適切なブラシの形状が、ヘッドクリーナとして使用され得る。ブラシは、トランスデューサヘッドに接触するために外側に突出する剛毛（クリーニング面を形成する）を含み得る。ブラシは、剛性を有するか、弾力性を有するか、またはそれらの何らかの組合せの状態の剛毛を有し得る。変更例によっては、ヘッドクリーナは、静電気の問題または他の電気的問題を低減するように構成され得る。たとえばブラシは、炭素を含有するナイロン繊維で形成されて、電気的に中性な物（接地等）に電気的に接続され得、それによってトランスデューサヘッドは、ブラシによる当該ヘッドのクリーニング時に帯電せず、または、電気的に損傷を受けない。一般に、ヘッドクリーナは、導電性材料を含み得、それにより当該クリーナは、静電放電または他の放電からの損傷を防止するように接地され得る。
【００３０】
ヘッドクリーナは、スクレーパ等の研磨面も含み得る。スクレーパは、１つ以上の刃（掻取り面等）を含み得る。変更例によっては、ヘッドクリーナは、トランスデューサヘッドを掻くためのナイフ刃を有するスクレーパを含む。変更例によっては、ヘッドクリーナは、複数の刃を有するスクレーパを含む。ヘッドクリーナは、ワイパーを含み得る。たとえば、ヘッドクリーナは、ゴミを除去するためにトランスデューサヘッドの表面に接触するための平坦なヘッドまたは角部を有するヘッドを有し得る。
【００３１】
一般に、ヘッドクリーナは、摩擦による（たとえば、掻き取ること、擦ること等による）か、または、ゴミに対してトランスデューサヘッドよりも高い親和性を有することにより、ゴミを除去するためのクリーニング面を含み得る。たとえば、ヘッドクリーナは、トランスデューサヘッドからゴミを除去するための接着剤を含み得る。ヘッドクリーナは、ゴミを捕捉することのできる材料も含み得る。たとえば、ヘッドクリーナは、織地材料、繊維性材料、または多孔性材料を含み得る。ヘッドクリーナは、凹凸形状の面を含み得る。たとえば、ヘッドクリーナは、砂で研磨された（gritted）面を含み得る。
【００３２】
ヘッドクリーナは、化学的クリーナ（クリーニング化合物、またはクリーニング溶液等）を含み得る。変更例によっては、クリーニング化合物は、研磨面等の構造の代わりに使用され得る。変更例によっては、化学的クリーナは、研磨面に加えて使用される。トランスデューサヘッドのコンディショナ（たとえば潤滑剤等）をヘッドクリーナとともに使用することもできる。
【００３３】
変更例によっては、データトランスデューサヘッドクリーナは、データトランスデューサを基準として動くことによって当該ヘッドクリーナがデータトランスデューサヘッドに接して動くことにより、トランスデューサヘッドをクリーニングする。変更例によっては、データトランスデューサヘッドがヘッドクリーナを基準として動く。変更例によっては、データトランスデューサヘッドおよびヘッドクリーナがいずれも、互いを基準として動く。たとえば、ヘッドクリーナは、データトランスデューサヘッドに接して位置付けられ得、データトランスデューサヘッドは、当該データトランスデューサヘッドの表面がヘッドクリーナを擦る（または掻く）ように、（横方向または垂直方向等に）動かされ得る。変更例によっては、トランスデューサヘッドをヘッドクリーナに接した態様で動かすために、アクチュエータが使用され得る。
【００３４】
データトランスデューサヘッド、ヘッドクリーナ、またはそれらの両方は、クリーニングに適切な任意の速度で動かされ得る。たとえば、データトランスデューサヘッドは、１秒間に何度も（たとえば、１Ｈｚを上回るか、１０Ｈｚを上回るか、５０Ｈｚを上回るか、１００Ｈｚを上回る等で）動かされ得る（または振動され得る）。変更例によっては、データトランスデューサヘッドをクリーニングする際に、データトランスデューサヘッドが一方向に移動し、ヘッドクリーナが別の方向に移動する（デュアルモーション等）。
【００３５】
データトランスデューサヘッドクリーナは、クリーニングのためにデータトランスデューサヘッドに接触し得るように、クリーニング装置上のどのような場所にも位置付けられ得る。ヘッドクリーナは、クリーニング装置の基部に取付けられ得、それにより当該ヘッドクリーナは、データトランスデューサヘッドに対向する。したがって、基部全体は、ヘッドクリーナがデータトランスデューサヘッドに接触するように動き得る。変更例によっては、ヘッドクリーナは、基部のプラットフォーム領域から突出する壁に取付けられる。たとえばクリーニング装置が、データテープが通過し得る通路を含むとき、この通路は、データトランスデューサヘッドがそれを介して通路内のデータテープに接近することのできる開口部を有し得、ヘッドクリーナは、クリーニング装置の通路の一側面に、データトランスデューサヘッドに対して通路内の開口部の向かいに、取付けられ得る。
【００３６】
図２Ａおよび図３は、データトランスデューサヘッドクリーナが、当該ヘッドクリーナを経由する通路の側面に取付けられたクリーニング装置の例を示す。図３において、クリーニング装置は、トランスデューサヘッド２０と共に示される。クリーニング装置の基部２１０は、データテープが通過することを可能にするための通路２２２を形成する３つの壁領域２０５、２０５′、２０５″を有する。データトランスデューサヘッド２０は、壁領域により形成された通路２２２内にあることが示され、トランスデューサヘッド２０は、データトランスデューサヘッドクリーナ２５０に当接する。ヘッドクリーナ２５０は、中央の壁２０５′に取付けられ、それによりヘッドクリーナ２５０は、図示するように、データトランスデューサヘッド２０に接触し得る。
【００３７】
ヘッドクリーナは、任意の適切な態様でクリーニング装置（クリーニング装置の基部等）に取付けられ得、それによりクリーニング装置は、トランスデューサヘッドをクリーニングすることができる。たとえば、ヘッドクリーナは、クリーニング装置に永続的にまたは取外し可能に取付けられ得る。変更例によっては、ヘッドクリーナは、交換可能であり得る。変更例によっては、ヘッドクリーナは、（糊または他の接着剤により）永続的に取付けられるか、基部に一体化されるか、または、基部の壁領域に一体化される。
【００３８】
クリーニング装置（特に、基部、および取付けられた任意の構造、たとえばヘッドクリーナ）は、他のドライブ構造、たとえばデータトランスデューサヘッドを基準として可動であり得る。したがって、ヘッドクリーナの位置は、データトランスデューサヘッドの位置を基準として変化し得る。しかしながら、ヘッドクリーナは一般に、ヘッドクリーニング位置にクリーニング装置を動かす（たとえば旋回させる）とデータトランスデューサヘッドに接触し得るように位置付けられる。変更例によっては、ヘッドクリーナは、トランスデューサヘッドをクリーニングし得る位置にロックされ得る。
【００３９】
ヘッドクリーナは、任意の適切な形状またはサイズを有し得る。たとえば、図３に示すヘッドクリーナ２５０の正面は、データトランスデューサヘッド２０の正面とほぼ同じサイズを有する。しかしながら、ヘッドクリーナは、それよりも小さくても、または大きくてもよい。変更例によっては、ヘッドクリーナは、トランスデューサヘッドの正面の形状に合致するように形作られ得る。変更例によっては、ヘッドクリーナは、当該ヘッドクリーナがそれを介してデータトランスデューサヘッドに接近する通路の形状および／またはサイズに合致し得る。たとえば、クリーニング装置の通路内に巻取リーダが存在するとき、ヘッドクリーナは、以下にさらに説明するように、巻取リーダ内の孔部を介してトランスデューサヘッドに接近することができる。
【００４０】
データテープクリーナ
クリーニング装置は、データテープをクリーニングするためのデータテープクリーナ（「テープクリーナ」）も含み得る。テープクリーナは、クリーニング装置の基部（たとえば、クリーニング装置の基部の壁）に取付けられ得る。テープからゴミを除去することの
できる任意の適切な種類のテープクリーナを使用することができる。たとえば、ブラシ、スクレーパ、ワイパー、圧力装置（吸引機または送風機等）、およびそれらの組合せを使用することができる。テープクリーナは一般に、テープからゴミを除去することのできる少なくとも１つのクリーニング面を有する。クリーニング面は、摩擦による（たとえば擦ることによる）か、または、ゴミに対してテープ面よりも高い親和性を有することにより、テープからゴミを除去することができる。たとえば、クリーニング面は、テープ面からゴミを除去するための接着剤を含み得る。変更例によっては、圧力装置等の非接触クリーナが使用され得る。たとえば、圧力装置は、データテープからゴミを吸引するための吸引機を含み得る。一変更例において、テープクリーナは、データテープ上に流体（空気等）を吹付けてデータテープをクリーニングするための送風機を含み得る。
【００４１】
クリーニング面は、ゴミを捕捉することのできる材料も含み得る。たとえば、クリーニング面は、織地材料、繊維性材料、または多孔性材料を含み得る。クリーニング面は、凹凸形状の面も含み得る。変更例によっては、クリーニング面は、研磨面を含む。変更例によっては、クリーニング面は、非研磨性材料（細かい織地材料等）を含む。変更例によっては、クリーニング面は、テープ面からゴミまたは異物を除去するためのクレンザーを含む。たとえば、クリーニング面は、テープに損傷を与えずにゴミを除去するための任意の適切な溶媒（たとえばアルコール、水等）を含み得る。変更例によっては、テープクリーナおよびヘッドクリーナは同一物である。
【００４２】
テープクリーナは、「柔軟な」材料を含む、任意の適切な材料で形成され得る。たとえば、テープクリーナは、フェルトまたは布地材料を含み得る。テープクリーナは、データテープに損傷を与えない材料を含み得る。一変更例において、テープクリーナは、（たとえば磁気コーティングを除去することで）磁気テープの表面に損傷を与えることのない、クリーニング面を有する。変更例によっては、テープクリーナは導電性材料を含み、それによりテープクリーナは、テープ面上の静電荷を防止するように接地され得る。テープクリーナは、クリーニング面上にコーティングを含み得る。たとえば、テープクリーニング面は、帯電防止コーティングを含み得る。テープクリーナ（およびクリーニング面）は、耐摩耗性材料を含み得る。たとえば、テープクリーナは、ＡｌＴｉＣを含み得る。
【００４３】
テープクリーナはブラシであり得、たとえば、テープに接触するために外側に突出する剛毛を有するブラシであり得る。したがって、ブラシの剛毛は、クリーニング面を構成し得る。ブラシは、任意の適切な材料および形状で形成され得る。たとえば、テープの表面を引っ掻くことのないように、より柔軟な剛毛を使用することができる。
【００４４】
テープクリーナは、テープ面に接触するための平坦なヘッドまたは角部を有するヘッドを有するワイパーであり得る。ワイパーは、ゴミを除去するための任意の適切な材料を含み得る。変更例によっては、ワイパーは、クリーニング中にワイパーによって塗布され得る流体（たとえばクリーニング溶液または潤滑剤）を保持するための容器に取付けられ得る。変更例によっては、ワイパーは、テープの表面からゴミを掻き取るスクレーパを含み得る。たとえば、ワイパーの刃は、テープからゴミを掻き取ることのできるテープクリーニング面であり得る。
【００４５】
ゴミは、テープクリーナのクリーニング面を横切る態様でテープを動かすか、テープ面を横切る態様でテープクリーナを動かすか、またはその両方により、テープ面から除去され得る。したがって、クリーニング装置は、テープの作動中にテープがテープカートリッジのテープ経路に沿って動くのに伴い、テープ面をクリーニングすることができる。変更例によっては、テープは、当該テープが読出されるか、または書込まれるときにクリーニングされ得る。変更例によっては、テープは、テープドライブの特別な「クリーニング走行」中にクリーニングされる。
【００４６】
２つ以上のテープクリーナを使用することができる。たとえば、１つのクリーニング装置が複数のテープクリーナ（たとえば２個、３個、４個、またはそれよりも多くのテープクリーナ）を有し得る。テープクリーナは、データテープの１つの面をクリーニングすることができ、または、データテープの両面をクリーニングするように構成され得る。変更例によっては、データテープの両面がクリーニング装置によってクリーニングされ得る。
【００４７】
テープクリーナは、任意の適切なサイズであり得る。たとえば、テープクリーナは、テープの幅よりも長くてもよく、または短くてもよい。一変更例において、テープクリーナは長くかつ幅が狭く、それにより、テープの表面全体は、テープがテープクリーナを横切って動くのに伴い、テープクリーナに接触し得る。
【００４８】
テープクリーナは、永続的に、または取外し可能にクリーニング装置の基部に取付けられ得る。したがって、テープクリーナは、クリーニング装置の基部に取付けられ得、それによりテープクリーナは、基部を通って形成される通路内に位置付けられる。図２Ａは、基部２１０のプラットフォーム領域２１５から突出する基部の壁２０５、２０５″に取付けられた２つのテープクリーナ２６０、２６０′を有するクリーニング装置の一例を示す。基部２１０の通路２２２内のテープの少なくとも一面（たとえば、トランスデューサヘッドにより読出されるテープの面）が、基部上に取付けられたテープクリーナによってクリーニングされ得る。テープクリーナは、クリーニング装置を動かすことによって基部領域に接触するように動かされ得る。さらに、テープクリーナおよびヘッドクリーナの両方を有するクリーニング装置が記載されているが、クリーニング装置は、基部と、テープクリーナのみか、またはヘッドクリーナのみとを含み得る。
【００４９】
移動ガイド（旋回軸）
クリーニング装置は可動であり得る。したがって、テープクリーナは、データテープおよびデータトランスデューサヘッドをクリーニングするための多数の異なる動作位置を含み得る。たとえば、クリーニング装置は、ヘッドクリーニング位置、テープクリーニング位置、走行位置、および装着位置を含み得る。クリーニング装置は、特に当該クリーニング装置がテープドライブ内に位置付けられたときに当該クリーニング装置の移動を案内するための移動ガイドを含み得る。移動ガイドは、トラック、チャネル（カム等）、ヒンジ、旋回軸等を含み得る。移動ガイドは、クリーニング装置を定位置に保持するための１つのロックまたは複数のロックも含み得る。
【００５０】
一般に、移動ガイドは、クリーニング装置、特にクリーニング装置の基部の動きまたは位置を案内する任意の構成要素であり得、それによりクリーニング装置は、テープおよび／またはトランスデューサヘッドに作用し得る。たとえば、図２Ａおよび図２Ｂは、旋回軸のチャネル２２５を有するクリーニング装置を示しており、クリーニング装置は、この旋回軸のチャネル２２５の周囲で動き得る（たとえば回転する）。したがって、クリーニング装置は、データテープの進路の外へと動くことができ、クリーニング装置は、データテープをテープクリーナに（たとえばクリーニングするために）接触させるように動かされ得、または、クリーニング装置は、ヘッドクリーナがトランスデューサヘッドに接触するように動かされ得る。
【００５１】
クリーニング装置は、任意の適切なアクチュエータによって動かされ得る。たとえば、クリーニング装置は、移動ガイドを動かすアクチュエータによって駆動され得る。一変更例において、クリーニング装置は、レシーバカム機構がクリーニング装置の旋回軸に接続されているときに、当該レシーバカム機構によって旋回軸の周囲で動かされ得る。レシーバカムは、テープドライブの異なる部分（たとえば巻取リーダ等）を作動させることもできる。
【００５２】
クリーニング装置は、１つ以上の位置（たとえば、以下に説明するように、クリーニング位置、装着位置、または走行位置）にクリーニング装置を保持するための止め（またはロック）も含み得る。変更例によっては、止めは、クリーニング装置の移動ガイドの止めであり、ここで、移動ガイドは、クリーニング装置を（たとえば旋回軸の位置にロックすることによって）定位置に固定する。
【００５３】
さらに、クリーニング装置の動きは、コントローラによって制御され得る。このコントローラは、クリーニング装置のための専用のモーションコントローラであり得、または、テープドライブの動作の他の局面を制御するように構成されたテープドライブコントローラの一部であり得る。コントローラは、テープドライブの他の局面の動作（たとえば、データトランスデューサヘッドの移動または位置）も制御することができる。
【００５４】
コントローラは、位置および移動（たとえば、移動速度、移動方向等）を選択するために、または、クリーニング装置を定位置にロックするために使用され得る。変更例によっては、コントローラは、クリーニング装置から入力を受取る。たとえば、コントローラは、データテープまたはトランスデューサヘッド等を基準としたクリーニング装置の現在位置または現状についての情報を受取ることができる。コントローラは、テープドライブ（マスタコントローラ等）またはユーザから情報を受取ることもできる。さらに、コントローラは、クリーニング装置の動作を記述する出力か、または、クリーニング装置の状況（その位置または状態等）を記述する出力を提供することもできる。
【００５５】
テープドライブ
ここに記載するクリーニング装置は、テープドライブ内に含まれ得る。したがって、テープドライブは、データテープ用の通路を有する基部と、当該基部に取付けられたヘッドクリーナと、当該基部に取付けられたテープクリーナとを有するクリーニング装置を含み得る。テープドライブは、クリーニング装置に隣接して位置付けられたデータトランスデューサヘッドも含み得、それによりクリーニング装置は、当該クリーニング装置を基準として定位置に動かされ得る。
【００５６】
図４、図５、および図６は、テープドライブ内で位置付けられたクリーニング装置の異なる図を示す。図４は、ここに記載するクリーニング装置を有するテープドライブの内部の図を示す。クリーニング装置の基部２１０は、通路２２２を形成する３つの壁を有していることが示される。同じテープドライブおよびクリーニング装置の側面図を図５に示す。図４、図５、および図６において、クリーニング装置は、データテープを通過させるように構成される通路を有する。しかしながら、データテープがテープドライブ内に存在しない（たとえば装着されていない）とき、巻取リーダ（図示せず）は、通路内に存在し得る。したがって、データカートリッジ（または他の適切なデータ装置、たとえばカセット）がテープドライブ内に装着されると、巻取リーダは、クリーニング装置を経由した態様で、かつ、データテープからのデータの書込または読出が行なわれ得るトランスデューサヘッドを通過する態様で、データテープを引張ることができる。
【００５７】
巻取リーダは、説明するように、ヘッドクリーナ（またはヘッドクリーナの一部）がそれを介してデータトランスデューサヘッドに接近することのできる孔部または通路を有し得る。図６は、クリーニング装置を含むテープドライブの上面図を示す。図６において、データトランスデューサヘッド２０は、ヘッドクリーナに対向して位置付けられる。図４、図５、および図６に示すクリーニング装置の基部２１０は壁を含み、これらの壁は湾曲しており、データテープがクリーニング装置を通って移動するのに伴い、データテープ（または巻取リーダ）を撓ませるか、または案内するために使用され得る。
【００５８】
動作時に、クリーニング装置は、テープドライブのデータトランスデューサがクリーニングされ得るように、または、テープドライブ内のデータテープがクリーニングされ得るように、位置付けられ得る。したがって、ここに記載するクリーニング装置を含むテープドライブは、多数の異なる動作位置を含み得る。
【００５９】
クリーニング装置の動作
ここに記載するクリーニング装置は、データテープか、データトランスデューサヘッドか、またはそれらの両方をクリーニングし得る。クリーニング装置は、データトランスデューサヘッドか、データテープか、またはそれらの両方のいずれかに対してクリーニング装置を位置付けることによって制御され得る。クリーニング装置がテープドライブの一部として含まれるとき、クリーニング装置は、データテープおよびトランスデューサヘッドに対して異なる位置を有し得る。
【００６０】
図７Ａから図７Ｄは、クリーニング装置を含むテープドライブを示し、テープドライブ内のクリーニング装置に対する動作位置の４つの例を示す。これらの４つの例には、走行位置、テープクリーニング位置、装着位置、およびヘッドクリーニング位置が含まれる。図７Ａから図７Ｄに示すクリーニング装置は、２つのテープクリーナ２６０、２６０′と、１つのヘッドクリーナ２５０と、データテープが通過するための通路を有する基部とを有する。クリーニング装置は、テープドライブのトランスデューサヘッド２０が通路内に進入し得るように位置付けられ得、通路内において、トランスデューサヘッド２０は、データテープの読出および／または書込を行ない得、または、ヘッドクリーナによってクリーニングされ得る。
【００６１】
図７Ａは、テープクリーナ２６０がデータテープ７５０に接触せず、かつ、ヘッドクリーナ２５０がデータトランスデューサヘッドに接触しない走行位置にあるクリーナを有するテープドライブを示す。したがって、テープは、データテープクリーナに接触せずにクリーニング装置の通路内を通行し得る。変更例によっては、クリーニング装置は、クリーニング装置が走行位置にあるときにデータテープに全く接触しない。変更例によっては、クリーニング装置は、データテープがトランスデューサヘッドによって読出および／または書込まれ得るようにデータテープを案内し得る。たとえば、データテープは、クリーニング装置の案内面か、空気軸受か、またはローラにより、クリーニング装置によって案内され得る。
【００６２】
図７Ａに示すクリーニング装置の走行位置は、非接触位置であり、データがデータテープから書込まれおよび／または読出されているときのクリーニング装置の通常動作位置であり得る。変更例によっては、データテープは、当該データテープがデータトランスデューサヘッドにより読出されおよび／または書込まれているときにクリーニングされ得る。たとえば、図７Ｂは、テープクリーニング位置にあるクリーニング装置を示しており、テープクリーニング位置において、クリーニング装置のデータテープクリーナ２６０、２６０′は、データテープ７５０がテープドライブのトランスデューサヘッド２０を横切って走行する際に、データテープ７５０に接触する。
【００６３】
図７Ａから図７Ｄに示すクリーニング装置の変化において、クリーニング装置は、旋回軸７０１の周囲で当該クリーニング装置を動かす（たとえば旋回させる）ことにより、図７Ａに示す走行位置と、図７Ｂに示すテープクリーニング位置との間を移行し得る。上述のように、クリーニング装置は、移動ガイドを用いてクリーニング装置を動かすことにより、異なる動作位置に移され（ロックされ）得る。クリーニング装置を動かして当該クリーニング装置を或る動作位置に置くことに加え、クリーニング装置は、データテープまたはトランスデューサヘッドのクリーニングを補助するように動かされ得る。たとえば、ヘッドクリーナをデータヘッドに擦り付けるか、または、テープクリーナをデータテープに
擦り付けるようにクリーニング装置の全体を動かすか、またはクリーニング装置の一部を動かすことができる。したがって、クリーニング装置（またはクリーニング装置の一部）は、任意の適切な方向に動き得る。図７Ａから図７Ｄにおいて、クリーニング装置は、トランスデューサヘッド２０に向かって、またはトランスデューサヘッド２０から離れて旋回軸７０１の周囲で回転しているが、変更例によっては、クリーニング装置の少なくとも一部（たとえば、ヘッドクリーナまたはデータテープクリーナ）は、別の方向に、たとえば上下、左右等にも動き得る。
【００６４】
テープクリーニング位置は、データテープがクリーニング装置のデータテープクリーナに接触する任意の位置を含み得る。図７Ｂに示すテープクリーニング位置では、クリーニング装置の２つのデータテープクリーナ２６０、２６０′のみがデータテープ７５０に接触しているが、クリーニング装置の他の部分（たとえばテープガイド）もまた、データテープに接触し得る。さらに、データテープは、図７Ｂにおいてデータトランスデューサヘッドと相互作用していることが示され、それによりデータは、データテープがクリーニングされているときにデータテープから読出され得、および／または書込まれ得る。変更例によっては、データテープは、当該データテープがクリーニング装置によってクリーニングされているときにはトランスデューサヘッドに接触せず、または、トランスデューサヘッドと相互作用しない。
【００６５】
図７Ｃは、データトランスデューサヘッドが通路内に存在しない装着位置にあるクリーニング装置を示す。図７Ｃにおいて、クリーニング装置は、旋回軸７０１の周囲で時計回りに走行位置からさらに回転することにより、装着位置に移行し得る。装着位置は、データテープの装着または装着解除に有用であり得る。なぜなら、データテープまたはデータテープに取付けられ得る巻取リーダが、損傷を受けやすいトランスデューサテープヘッドから分離されるためである。変更例によっては、データテープまたは巻取リーダは、クリーニング装置の通路を通過する。したがって、データテープは、トランスデューサテープヘッドが通路内に存在しないとき、トランスデューサテープヘッドから離れて案内され得る。
【００６６】
図７Ｄは、ヘッドクリーニング位置にあるクリーニング装置を示す。ヘッドクリーニング位置において、データトランスデューサヘッド２０は、ヘッドクリーナ２５０に接触する。図７Ｄにおいて、データテープは、クリーニング装置の通路内に示されていない。変更例によっては、巻取リーダが通路内に存在することが考えられ、ヘッドクリーナは、巻取リーダの開口部を介してクリーニング装置の通路内のトランスデューサヘッドに接触し得る。トランスデューサヘッドは、ヘッドクリーナがトランスデューサヘッドをブラシで清掃するか、掻くか、またはトランスデューサヘッドに接触する際に、クリーニングされ得る。たとえば、トランスデューサヘッドは、トランスデューサヘッドの位置を制御するアクチュエータにより、ヘッドクリーナに接した状態で動かされ得る。
【００６７】
クリーニング装置は、図示するように、ヘッドクリーナ２５０がトランスデューサヘッド２０に接触するまで旋回軸７０１の周囲でクリーニング装置を反時計回りに動かすことにより、ヘッドクリーニング位置に移行し得る。上述のように、異なる動作位置間におけるクリーニング装置の移動は、コントローラによって制御され得る。この前述のコントローラは、テープドライブの動作と調和させることができる。
【００６８】
テープドライブのデータトランスデューサヘッドは、ここに記載するクリーニング装置によってクリーニングされ得る。データトランスデューサヘッドは、テープドライブの巻取リーダを貫通する開口部にトランスデューサヘッドをまずアライメントすることによってクリーニングされ得る。トランスデューサヘッドは次に、クリーニング装置のデータトランスデューサヘッドクリーナによって接触され得る。たとえば、クリーニング装置は、
移動ガイドを用いて定位置に動かす（たとえば旋回させる）ことができる。コントローラは、この移動を制御するために使用され得る。データトランスデューサヘッドがヘッドクリーナに隣接して（または当接して）位置付けられると、トランスデューサヘッドを動かして当該トランスデューサヘッドをクリーニングすることができる。変更例によっては、ヘッドクリーナを（たとえば垂直方向に）動かして当該トランスデューサヘッドをクリーニングすることができる。
【００６９】
データテープは、ここに記載するクリーニング装置を用いてクリーニングされ得る。データテープは、クリーニング装置の通路内（たとえばクリーニング装置の基部内）に位置付けられ得、データテープクリーナによって接触され得、クリーニング装置の行路の１つの側面上に配置され得る。一変更例において、データテープは、データテープクリーナに接した状態でデータテープを走行させることによってクリーニングされ得る。一変更例において、テープクリーナは、データテープに接した状態で動かされ得る。
【００７０】
上述の詳細な説明は、例示的な実施例を示すために提示されており、限定することは意図されていない。たとえば、一実施例の任意の特徴を、他の実施例のいくつかの特徴またはすべての特徴と組合せることができる。この発明の範囲内で多数の変形および変更が可能であることが、当業者には明らかであろう。この説明の全体に亘り、特定の例が論じられており、この議論には、これらの例が関連技術における特定の欠点にいかに対処し得るかについての説明が含まれる。しかしながら、この議論は、当該欠点に実際に対処するか、または当該欠点を解決する方法および／またはシステムに、これらの種々の例を限定することを意味しない。したがって、この発明は、前掲の請求項により規定され、この説明によって限定されるべきではない。
【図面の簡単な説明】
【００７１】
【図１】テープドライブの内部の斜視図である。
【図２Ａ】クリーニング装置の一変更例の上面図である。
【図２Ｂ】図２Ａに示すクリーニング装置の斜視図である。
【図３】ここに記載する、テープドライブ内のクリーニング装置の図である。
【図４】ここに記載するクリーニング装置を有する例示的なテープドライブの内部の図である。
【図５】ここに記載する、テープドライブ内に設置されたクリーニング装置の側面図である。
【図６】ここに記載するクリーニング装置を有するテープドライブの一部の内部の上面図である。
【図７Ａ】テープドライブ内に設置されたクリーニング装置の或る位置を示す図である。
【図７Ｂ】テープドライブ内に設置されたクリーニング装置の或る位置を示す図である。
【図７Ｃ】テープドライブ内に設置されたクリーニング装置の或る位置を示す図である。
【図７Ｄ】テープドライブ内に設置されたクリーニング装置の或る位置を示す図である。
【符号の説明】
【００７２】
２０  データトランスデューサヘッド、２０５、２０５′、２０５″  壁、２１０  基部、２２２  通路、２５０  データトランスデューサヘッドクリーナ。
【図１】
2006294230.tif 000003
【図２Ａ】
2006294230.tif 000004
【図２Ｂ】
2006294230.tif 000005
【図３】
2006294230.tif 000006
【図７Ａ】
2006294230.tif 000007
【図７Ｂ】
2006294230.tif 000008
【図７Ｃ】
2006294230.tif 000009
【図７Ｄ】
2006294230.tif 000010
【図４】
2006294230.tif 000011
【図５】
2006294230.tif 000012
【図６】
2006294230.tif 000013